(57)【要約】【課題】      釣り竿の本体に取り付けるのに適した釣り糸カッターを提供する。【解決手段】  一枚の金属プレートを切り抜きし、型打ちすることによって単一部材として形成される釣り糸カッターにおいて、前部３と後部４と二つの側部５，６と二つの長手フォーク部９，１０とを有し、かつ、切り抜きと型打ちは、釣り糸カッターが釣り竿の本体８に取り付けられた時に、二つの長手フォーク部９，１０と少なくとも前部３とが釣り竿の本体８に接触し、後部４が持ち上げられて釣り糸１７をその下に通すことを可能にするように行われるとともに、後部４と二つの長手フォーク部９，１０との間において、片側において鋭角形状の切り欠きが切断領域１２を形成し、他方側において釣り糸１７を押し込むためのジャミング領域１１が設けられるように行われ、さらに、二つの長手フォーク部９，１０によって釣り竿の本体８に固定されるものとした。【選択図】        図２
2006014736.tif 000002
【特許請求の範囲】
【請求項１】
釣り竿の本体に取り付けるのに適しており、かつ、一枚の金属プレートを切り抜きし、型打ちすることによって単一部材として形成される釣り糸カッターにおいて、
前部（３）と後部（４）と二つの側部（５，６）とを備えた本体（２）と、当該本体（２）の前記二つの側部（５，６）から後方に延出する二つの長手フォーク部（９，１０）とを有し、かつ、
前記金属プレートの切り抜きと型打ちは、釣り糸カッター（１）が釣り竿の本体（８）に取り付けられた時に、前記二つの長手フォーク部（９，１０）と少なくとも前記前部（３）とが前記釣り竿の本体（８）に接触し、前記後部（４）が持ち上げられて釣り糸（１７）をその下に通すことを可能にするように行われるとともに、前記後部（４）と前記二つの長手フォーク部（９，１０）との間において、片側において鋭角形状の切り欠きが切断領域（１２）を形成し、他方側において前記釣り糸（１７）を押し込むためのジャミング領域（１１）が設けられるように行われ、さらに、
前記二つの長手フォーク部（９，１０）を前記釣り竿の本体（８）に結合することによって前記釣り竿の本体（８）に固定される釣り糸カッター。
【請求項２】
前記ジャミング領域（１１）は、前記後部（４）と前記長手フォーク部（９）との間の鋭角状切り欠きによって形成されている請求項１に記載の釣り糸カッター。
【請求項３】
前記ジャミング領域（２１）は、フラップ（２２，２４）を対応する前記長手フォーク部（９，２９）に向けて折り返すことによって形成され、前記フラップ（２２，２４）は、前記長手フォーク部（９）又は前記側部（２８）に対して接続されている請求項１に記載の釣り糸カッター。
【請求項４】
前記二つの長手フォーク部（９，１０）は、前記型打ち中に円弧状に湾曲される少なくとも一つのスペーサ（１４，１５）によって互いに接続されている請求項１から３のいずれか一項に記載の釣り糸カッター。
【請求項５】
前記本体（２）は中央部（７）を有し、当該中央部（７）は孔（１３）によって穿孔され、かつ、前記前部（３）に対して持ち上げられて、針先を含む釣り針の端部を受け入れる一時的なハウジングとして作用するように構成されている請求項１から４のいずれか一項に記載の釣り糸カッター。
【発明の詳細な説明】
【技術分野】
【０００１】
本発明は、釣り竿、特にリールを備えた釣り竿の本体に取り付けるのに適した釣り用アクセサリ、詳しくは、釣り糸の切断用又は釣り針の一時保持用にも適した釣り用アクセサリに関する。
【背景技術】
【０００２】
釣り竿の本体への取り付けに適した釣り糸カッターとしては、特許文献１に記載されたものがある。このアクセサリは、互いに固定された二枚のプレート間に挟持されたカッター刃を有する。前記二枚のプレートの一方は、開口した半筒状部材に固定されており、この半筒状部材を受け取ることによってこのアクセサリを釣り竿の本体に取り付けることができる。前記カッター刃へのアクセスは、互いに組みつけられた前記二枚のプレートに形成されたノッチを介して行われる。このノッチのいずれかの側において、前記両プレートは、ノッチの内部に向けて湾曲し、これによって釣り糸を一時的に保持することを可能にする。
【０００３】
【特許文献１】米国特許第４，７３０，４０９号
【発明の開示】
【発明が解決しようとする課題】
【０００４】
しかしながらこのアクセサリには以下のような欠点がある。まず、前記二枚の互いに組み付けられたプレートとプレートとは、釣り竿の本体に対して径方向に取り付けられるので、釣り竿本体の直径よりも大きな空間を占有する可能性がある。これはユーザにとって厄介である。また、複数のパーツを作り、それらを組み付ける必要があるので、その製造は必然的に複雑である。さらに、釣り糸を切断するときは、上記特許文献１の図６に図示されているように、ユーザは、その両手で釣り糸を保持することによって切断のために必要な張力を得なければならない。
【０００５】
本発明の目的は、上記特許文献１にある釣り糸カッターの欠点を緩和し、釣り竿の本体に取り付けるのに適した釣り糸カッターを提供することにある。
【課題を解決するための手段】
【０００６】
上記目的を達成するための本発明に係る釣り糸カッターの第一特徴構成は、釣り竿の本体に取り付けるのに適しており、かつ、一枚の金属プレートを切り抜きし、型打ちすることによって単一部材として形成される釣り糸カッターにおいて、
前部と後部と二つの側部とを備えた本体と、当該本体の前記二つの側部から後方に延出する二つの長手フォーク部（longitudinal prong）とを有し、かつ、前記金属プレートの切り抜きと型打ちは、釣り糸カッターが釣り竿の本体に取り付けられた時に、前記二つの長手フォーク部と少なくとも前記前部とが前記釣り竿の本体に接触し、前記後部が持ち上げられて釣り糸をその下に通すことを可能にするように行われるとともに、前記後部と前記二つの長手フォーク部との間において、片側において鋭角形状の切り欠きが切断領域を形成し、他方側において前記釣り糸を押し込む（jamming）ためのジャミング領域が設けられるように行われ、さらに、前記二つの長手フォーク部を前記釣り竿の本体に結合することによって前記釣り竿の本体に固定される点にある。
【０００７】
従って、前記釣り糸カッターは、釣り竿の本体の外側表面上と実質的に一体化され、それから約数ミリの非常に短い高さだけ突出している。さらに、釣り糸を切断するためには、ユーザは釣り糸を円形状に動かして、それを先ずジャミング領域、次に切断領域に挿入しつつ本体の後部の下を通過させ、その後、釣り糸がジャミング領域でブロックされた時に、釣り糸を切断領域で切断するためにそれを上に引っ張るだけでよい。
【０００８】
本発明に係る釣り糸カッターの第二特徴構成は、前記ジャミング領域が、前記後部と前記長手フォーク部との間の鋭角状切り欠きによって形成されている点にある。
【０００９】
本構成は、特に、モノフィラメントタイプの糸と比較して、径が大きく、滑り難い編組タイプの釣り糸用に特に適している。
【００１０】
本発明に係る釣り糸カッターの第三特徴構成は、前記ジャミング領域が、フラップを対応する前記長手フォーク部に向けて折り返すことによって形成され、前記フラップは、前記長手フォーク部又は前記側部に対して接続されている点にある。
【００１１】
本構成によれば、ユーザが釣り糸の前記円形状の動作を行う時、釣り糸をフラップと長手フォーク部との間に押し込み、その後は、前と同様に切断領域においてそれを上方に引っ張ることによって切断するために、釣り糸を前記フラップの下と持ち上げられた長手フォーク部との下を通過させるだけでよい。本構成は、一方は前記フラップに属し、他方が前記長手フォーク部に属する二つの接触面間に押し込まれるモノフィラメントタイプの釣り糸用に特に適している。
【００１２】
本発明に係る釣り糸カッターの第四特徴構成は、前記二つの長手フォーク部が、前記型打ち中に円弧状に湾曲される少なくとも一つのスペーサによって互いに接続されている点にある。
【００１３】
前記スペーサの存在によって、二つの側方の長手フォーク部間の間隔が一定に保たれ、これによってアクセサリを釣り竿の本体に対して位置決めする際に、前記ジャミング領域と切断領域とが変形することが回避される。  前記スペーサは、さらに、前記二つの長手フォーク部が接続されている時、釣り糸カッターのスライドを制限することにより、釣り竿の本体に対する釣り糸カッターの保持も改善する。
【００１４】
本発明に係る釣り糸カッターの第五特徴構成は、前記本体が中央部を有し、当該中央部は孔によって穿孔され、かつ、前記前部に対して持ち上げられて、針先を含む釣り針の端部を受け入れる一時的なハウジングとして作用するように構成されている点にある。
【００１５】
本構成によれば、ユーザは、釣り針の端部を中央部の孔に挿入して、その針先を本体の下に受け入れさせて、これに直接触れることがないようにすることが可能である。本構成は、釣り針を一時的に保持するためのその利用において、上記特許文献１と比較してもう一つの利点を提供する。
【００１６】
本発明は、釣り竿の本体に取り付けられる釣り糸カッターであって、１枚のプレートの切り抜きと、型打ちによって形成される釣り糸カッターに関する。本発明によるその他の特徴及び利点は、以下図面を用いた実施形態の説明により明らかになるだろう。
【発明を実施するための最良の形態】
【００１７】
図１は、本実施形態における釣り糸カッター１を形成するために、予め切り抜かれ、かつ、型打ちされる前の状態の金属プレートの上方からの概略平面図であり、図２は、型打ちされた後の本実施形態における釣り糸カッター１の概略斜視図である。図３と図５は、長手フォーク部に接続されたジャミングフラップを備える別実施形態１の釣り糸カッター２０（図３）と、本体の側部に接続されたジャミングフラップを備える別実施形態２の釣り糸カッター２５（図５）の型打ちされる前の切り抜きされた金属プレートの上方からの概略平面図である。そして、図４は、図３のプレートの、そのフラップが下に折り返された後の状態を図示している。
【００１８】
以下に述べる釣り用アクセサリは、二つの機能、すなわち釣り糸カッターとしての機能と釣り針を一時的に保持する機能を果たすことができる。これら二つの機能のそれぞれにおいて、前記アクセサリは、大きな利点を提供する。釣り糸カッターとしては、それは、ユーザの自然な動作に良好にフィットし、特に、ユーザがその右手で竿を持っている場合はその左手によって、あるいは、左手で竿を持っている場合はその右手によって使用することが可能である。釣り針を一時的に保持している時には、針先が完全に触れることが出来なくなるので、怪我の虞が回避される。
【００１９】
図１及び図２は、薄い金属プレート、例えば、ステンレス鋼製で、０．２ミリの厚みの一枚のプレートを、切り抜き、型打ちすることによって製造される本実施形態のアクセサリ１を図示している。切り抜き後の型打ちによって、アクセサリ１を構成する様々な部分がそれらの三次元的な形状を与えられる。
【００２０】
詳しくは、前記アクセサリ１は、全体的に楕円形状で、前部３と後部４と二つの側部５，６とこれらの部分によって囲まれた中央部７とを備える本体２を有する。前記本体２、そしてさらに本実施形態のアクセサリ全体は、前記アクセサリ１が釣り竿の本体８上に取り付けられた時、前記本体２の縦平面にも対応する縦平面Ａ−Ａについて対称である。
【００２１】
ここで、「前」と「後」という用語は、前記アクセサリ１が釣り竿の本体８上に配置された時のこのアクセサリがとる方向に対して使用される。
【００２２】
前記アクセサリ１は、更に、前記本体２の二つの側部５，６から後方に延出する二つの長手フォーク部９，１０も有する。前記長手フォーク部９，１０は、僅かに湾曲した部分９ｂ，１０ｂを介して前記本体２の側部５，６に向かって収束する互いに平行な後方直線部９ａ，１０ａを有する。前記長手フォーク部９，１０の前記湾曲部９ｂ，１０ｂが側部５，６に結合している箇所において、前記金属プレートに形成された切り抜き部が鋭角部１１，１２を形成し、これらが、このアクセサリ１がユーザによって使用される方向に応じて、一方ではジャミング領域を形成し、他方では切断領域を形成する。
【００２３】
前記本体２の中央部７には、孔１３が穿孔形成され、この孔も、図示の例では楕円形状であるが、前記本体２に対して変位して、前記前部３の前縁３ａに対してよりも前記後部４の後縁４ａの近くに位置している。
【００２４】
前記二つの長手フォーク部９，１０は、二つのスペーサ１４及び１５によってそれらの直線後方部９ａ，１０ａにおいて互いに接続されている。
【００２５】
上述したように、前記アクセサリ１は、切り抜きと型打ちとによって一枚の金属プレートから形成される一体部材である。切り抜き工具は、上記種々の部分、即ち、それら全てが１つの平面にある上述の様々な部分を形成するように構成される。次に、型打ちによって、このアクセサリ１に、図２において破線によって図示されているように、とりわけ、釣り竿の筒状本体８に対する取り付けを容易にするための三次元形状が与えられる。
【００２６】
従って、型打ちによって、アクセサリは図２に図示されているように対称面Ａ−Ａの周りで全体として円弧湾曲形状を与えられる。前記アクセサリ１と釣り竿の筒状本体８との間の接触は、前記二つの長手フォーク部９，１０、前記スペーサ１４，１５、そして、前記本体２の前部３の縁３ａとを介して提供される。しかしながら、前記本体２の後部の縁４ａは、釣り竿の筒状本体８に対して僅かに持ち上げられ、これによって、釣り糸をこの後部４の下に挿入し、図１に図示されているようなユーザによる円形状軌跡に沿った釣り糸の操作によって、それを前記ジャミング領域１１と切断領域１２とに挿入することを可能にしている。
【００２７】
さらに、その頂部に前記孔１３を備える前記中央部７も、前記釣り竿の筒状本体８に対して持ち上げられ、これによって、前記孔１３と前部３の縁３ａとの間に内部空間が形成され、この空間は、前記本体２と前記釣り竿の筒状本体８との間を延出し、針先を含む釣り針の端部を受け入れるために利用可能である。
【００２８】
前記アクセサリ１は、型打ちされる時にこのアクセサリ１に与えられる湾曲に完全マッチする、何らかの特定の直径の本体を備える釣り竿との使用に限定されるものではないことに気付くであろう。このアクセサリ１は薄いため、特に、そのスペーサ１４，１５を介して或る程度のフレキシビリティを有し、これによってそれを径の異なる竿に取り付けることを可能にしている。
【００２９】
一旦、図２に図示されているようにその長手方向に沿って延出する状態で釣り竿の筒状本体８の表面に押し付けられると、アクセサリは、長手フォーク部９，１０を、特に粘着テープ１６等によってスペーサ１４，１５上に結合させるか、又は、巻き付ける（whipping）ことにより固定される。
【００３０】
このアクセサリを釣り竿の筒状本体に取り付ける最も良い位置は、竿の握り部 （又は握り部として使用される竿の部分） の直後で、アクセサリを約４５℃の角度で僅かに斜めに配置することであることが判った。
【００３１】
アクセサリの対称平面Ａ−Ａを考慮するならば、この平面は、その通常の使用位置での竿の筒状本体８の長手軸心を含む垂直平面に対して傾斜させるべきである。この平面は、もしユーザが右手で釣り竿を持つならば左に、反対にユーザが左手で釣り竿を持つならば右に傾斜させるべきである。
【００３２】
釣り糸１７は、ユーザによって円形状操作を行うことにより前記本体２の後部４の持ち上げられた縁４ａの下に挿入され、後部４と両長手フォーク部９，１０との間の前記鋭角状切り欠きに到達するまで、後部４の下に受け入れられる。ユーザがその手によって上向き方向に持っている釣り糸１７の端部１７ａを引くことで、この端部１７ａは、切断領域１２として作用するプレートの前記鋭角部に切断エッジが存在していることによって切断される。この切断は、釣り糸１７が位置保持されて、前記ジャミング領域１１の鋭角切り欠きによってスライドすることが阻止されているために行うことが可能である。
【００３３】
前記ジャミング領域１１が、前記後部４と他方の長手フォーク部９との間の鋭角状切り欠きによって構成される本実施形態は、それを１つの点において押し込むことを可能にする表面状態を有する釣り糸、特に編組状の釣り糸に適している。
【００３４】
〔別実施形態１〕
図３及び４に図示される別実施形態１は、その表面状態がもっと滑りやすく、その押し込みがある面積に渡る接触を必要とするスムースな糸、特にモノフィラメントタイプの糸に適している。
【００３５】
この別実施形態１のアクセサリ２０は、上記実施形態のアクセサリ１に対して、ジャミング領域２１の構成においてのみ異なり、ここでは、ジャミング領域２１は、前記一方の長手フォーク部９とフラップ２２との間に延出する領域によって構成される。
【００３６】
前記アクセサリ２０を構成する金属プレートが切り抜かれる時に、フラップ２２が形成され、これは、本体２の側部５に接続している前記長手フォーク部９の湾曲部９ｂからの一種の突起を構成する。
【００３７】
図３に明白に図示されているように、前記フラップ２２は、前記側方フォーク部９に接続される前方部２２ａと、直線状で前記長手フォーク部９の間近に位置する後方部２２ｂとを有する。
【００３８】
前記ジャミング領域２１を形成するために、このように切り抜かれている金属プレートを、前記フラップ２２と前記長手フォーク部９との間の接合部に対応する折り返し線２３に沿って、フラップ２２が長手フォーク部９の上面に対して下方にくるように折り返す。
【００３９】
好ましくは、ジャミング領域２１への釣り糸１７の挿入を容易にするために、前記フラップ２２の後縁２２ｃは持ち上げられる。
【００４０】
〔別実施形態２〕
図５に図示されている別実施形態２のアクセサリ２５は、フラップ２４の位置においてのみ上記別実施形態１のアクセサリ２０と異なる。アクセサリを構成する金属プレートを切り抜く時に、前記フラップ２４は、前記本体の側部２８から孔２６の内部に向かう突起によって構成される。図５から理解されるように、前記フラップ２４は、折り返し線２４ａを介して側部２８に接続されている。
【００４１】
ジャミング領域を形成するために、前記金属プレートは、折り返し線２４ａに沿ってフラップ２４を、長手フォーク部２９の上面に対して下方に折り返す。
【００４２】
尚、特許請求の範囲の項に図面との対照を便利にするために符号を記すが、該記入により本発明は添付図面の構造に限定されるものではない。
【図面の簡単な説明】
【００４３】
【図１】本発明に係る釣り糸カッターの型打ち前の概略平面図
【図２】本発明に係る釣り糸カッターの型打ち後の概略斜視図
【図３】本発明に係る釣り糸カッターの別実施形態１における型打ち前の概略平面図
【図４】フラップが折り返された図３の釣り糸カッター
【図５】本発明に係る釣り糸カッターの別実施形態２における型打ち前の概略平面図
【符号の説明】
【００４４】
１，２０，２５  アクセサリ（釣り糸カッター）
２    本体
３    前部
４    後部
５，６，２８  側部
７    中央部
８    釣り竿の本体
９，１０，２９  長手フォーク部
１１，２１  ジャミング領域
１２  切断領域
１３  孔
１４，１５  スペーサ
１７  釣り糸
２２，２４  フラップ
【図１】
2006014736.tif 000003
【図２】
2006014736.tif 000004
【図３】
2006014736.tif 000005
【図４】
2006014736.tif 000006
【図５】
2006014736.tif 000007